(57)【要約】      （修正有）【課題】傘や杖の握持柄と台座面との相対滑り移動を防止して、傘や杖を吊り下げ保持することができる傘や杖の握持柄用キャップを提供する。【解決手段】傘や杖の握持柄用キャップ１は、軟質樹脂またはゴムなど弾性材の成形体からなり、小径ネック部２の一側に傘５や杖の逆Ｕ字状に屈曲した握持柄６先端部６ａの嵌挿が可能な円形有底の筒状部３を有し、小径ネック部２の他側にカウンターやテーブルなどの台座面７に吸着が可能な逆椀形の吸盤４を備えている。また、筒状部３の周壁３０内面には、軸方向にのびる複数のリブ３１が円周方向に所定の間隔を隔てて径内方向に一様な突出量で突設され、吸盤４の周壁部４０と天井４１との境界部およびその近傍が薄肉Δｔに形成されている。【選択図】図８
0003175520.tif 000002
【実用新案登録請求の範囲】
【請求項１】
軟質樹脂またはゴムなど弾性材の成形体からなり、小径ネック部の一側に傘や杖の逆Ｕ字状に屈曲した握持柄先端部の嵌挿が可能な筒状部を有し、前記小径ネック部の他側にカウンターやテーブルなどの台座面に吸着が可能な吸盤を備えてなることを特徴とする傘や杖の握持柄用キャップ。
【請求項２】
請求項１に記載した傘や杖の握持柄用キャップにおいて、
前記筒状部の周壁内面には、該筒状部の軸方向にのびる複数のリブが円周方向に所定の間隔を隔てて径内方向に一様な突出量で突設されている傘や杖の握持柄用キャップ。
【請求項３】
請求項１乃至請求項２のいずれか１項に記載した傘や杖の握持柄用キャップにおいて、
前記吸盤の周壁部と天井との境界部およびその近傍が薄肉に形成されてなる傘や杖の握持柄用キャップ。
【請求項４】
請求項１乃至請求項３のいずれか１項に記載した傘や杖の握持柄用キャップにおいて、
前記吸盤の周壁部の下端面は、その径外端から径内端にかけて緩い上がり勾配で傾斜する傾斜面によって形成されてなる傘や杖の握持柄用キャップ。
【考案の詳細な説明】
【技術分野】
【０００１】
本考案は、カウンターやテーブルなどの台座面に傘や杖を滑り移動不能に吊り下げ保持するのに好適な傘や杖の握持柄用キャップに関する。
【背景技術】
【０００２】
従来、銀行などのカウンターまたはテーブルもしくはＡＴＭ等の現金自動預払機あるいは駅の切符自販機などの台座面に、逆Ｕ字状に屈曲した柄の先端を載置して、移動不能に吊り下げ保持する機能を備えた傘が提供されている（たとえば特許文献１）。
【０００３】
前記特許文献１に記載の傘を図１０、図１１に示す。これらの図において、傘５０は、逆Ｕ字状に屈曲した柄５１の先端部に摩擦係数の大きい弾性材からなる円盤状のクッション材５２を取付けたものである。このように構成された傘５０は、図１１に示すように、銀行や店のカウンターまたはテーブルなどの台座面５３にクッション材５２を載置することで、傘５０の軸線Ｃが略鉛直になる姿勢で滑り移動不能に吊り下げ保持することができるとされている。
【先行技術文献】
【特許文献】
【０００４】
【特許文献１】実用新案登録第３１５９２５６号公報
【考案の概要】
【考案が解決しようとする課題】
【０００５】
ところが、逆Ｕ字状に屈曲した柄５１の先端部に取付けられているクッション材５２は、傘５０の軸線Ｃから径外方向に大きく離間（図１１のＬ）していることと、傘５０の重心の位置との関係で、クッション材５２を台座面５３に載置すると、傘５０は、図１２に示すように、軸線Ｃが傾斜した姿勢で吊り下げ保持されることになる。このように、軸線Ｃが傾斜した姿勢で吊り下げ保持されると、円盤状のクッション材５２の下面は、軸線Ｃの反対側の端部が浮き上がって傾くこととなり、台座面５３と円盤状のクッション材５２の下面との一様な接触が損なわれて、台座面５３と円盤状のクッション材５２の下面との接触面積が大幅に減少して、摩擦力が小さくなる。そのため、滑り移動不能に傘５０を吊り下げ保持することが期待できない。したがって、肘などが柄５１に軽く当接することで、クッション材５２は台座面５３上を容易に滑り移動して台座面５３から滑落するおそれがある。
【０００６】
本考案は上記の実情に鑑みてなされたものであって、傘や杖の逆Ｕ字状に屈曲した握持柄と台座面との相対滑り移動を防止して、傘や杖を吊り下げ保持することができる傘や杖の握持柄用キャップの提供を目的とするものである。
【課題を解決するための手段】
【０００７】
前記目的を達成するために、本考案に係る傘や杖の握持柄用キャップは、軟質樹脂またはゴムなど弾性材の成形体からなり、小径ネック部の一側に傘や杖の逆Ｕ字状に屈曲した握持柄先端部の嵌挿が可能な筒状部を有し、前記小径ネック部の他側にカウンターやテーブルなどの台座面に吸着が可能な吸盤を備えてなることを特徴としている。
【０００８】
前記構成の傘や杖の握持柄用キャップは、その筒状部を、傘や杖の逆Ｕ字状に屈曲した握持柄の先端部に嵌挿する。この場合、筒状部は僅かに弾性拡径し、この弾性拡径の反力である弾性縮径力で前記握持柄の先端部に取付けられる。この取付状態で握持柄を握持して吸盤を台座面に押圧すると、小径ネック部の下動により吸盤は下向きに圧潰弾性変形して空間部の空気を排出し、空間部を負圧化する。その直後に前記押圧を解けば、吸盤は自己の弾性復帰と前記空間部の負圧化との協働で台座面に吸着され、握持柄と台座面との相対滑り移動を防止して、傘や杖が吊り下げ保持される。
【０００９】
傘や杖の握持柄用キャップが握持柄の先端部に嵌挿された状態では、傘や杖の握持柄用キャップの中心軸線は、傘や杖の軸線から径外方向に大きく離間していることと、傘や杖の重心の位置との関係により、傘や杖が台座面に吊り下げ保持されると、前記中心軸線に相当する握持柄における先端部側の軸線を含む傘や杖の軸線は傾斜するものの、その傾斜に伴って、筒状部と小径ネック部とが同時に吸盤における周壁部と天井との境界部およびその近傍を基点に弾性折曲して、吸盤の周壁に偏荷重が負荷されることによって生じる周壁下端面の台座面からの離間を抑制するように働く。これにより、吸盤の吸着力が保持されて、滑り移動不能に傘や杖を吊り下げ保持することができる。したがって、肘などが握持柄に軽く当接しても傘や杖が台座面から滑落しない。
【００１０】
本考案に係る傘や杖の握持柄用キャップは、前記筒状部の周壁内面に、該筒状部の軸方向にのびる複数のリブを円周方向に所定の間隔を隔てて径内方向に一様な突出量で突設することが望ましい。これによると、筒状部に傘や杖の逆Ｕ字状に屈曲した握持柄の先端部を嵌挿する場合、該先端部の外周は複数のリブに摺接することになって摩擦力が軽減される。しかも、筒状部に握持柄の先端部が嵌挿されることによる筒状部内の空気は、複数のリブ同士の間の隙間を通って排出される。これにより、筒状部に握持柄の先端部を嵌挿する作業が容易になる。また、筒状部に握持柄の先端部が嵌挿された状態は、握持柄の先端部が筒状部に嵌挿されることで生じる筒状部の僅かな弾性拡径の反力である弾性縮径によって保持することができる。
【００１１】
本考案に係る傘や杖の握持柄用キャップは、前記吸盤の周壁部と天井との境界部およびその近傍を薄肉に形成することが望ましい。これによると、握持柄における先端部側の軸線を含む傘や杖の軸線の傾斜に伴う筒状部と小径ネック部との同時弾性折曲が容易になされるとともに、薄肉に形成された周壁部と天井との境界部およびその近傍を基点に、吸盤の周壁部を上向き椀形に反転させて天井を下向きに露出させることが容易になる。したがって、下向きに露出した天井を台座面に載置すれば、天井と台座面との間に生じる摩擦力で、握持柄と台座面との相対滑り移動を防止して、傘や杖を吊り下げ保持することができる。
【００１２】
本考案に係る傘や杖の握持柄用キャップは、前記吸盤の周壁部の下端面が、その径外端から径内端にかけて緩い上がり勾配で傾斜する傾斜面によって形成することが望ましい。これによると、前記吸盤の周壁部の下端面と台座面と接触箇所が、前記吸盤の周壁部の下端面の外周部で接触することとなる。したがって、前記吸盤の周壁部の下端面と台座面との接触面積が小さくなり、面圧が高められるので、吸盤としての効果をより発揮することができると共に、握持柄と台座面との相対滑り移動をより効果的に防止して、傘や杖が吊り下げ保持される。
【考案の効果】
【００１３】
本考案に係る傘や杖の握持柄用キャップは、傘や杖の逆Ｕ字状に屈曲した握持柄と台座面との相対滑り移動を防止して、傘や杖を吊り下げ保持することができる。したがって、肘などが握持柄に軽く当接しても傘や杖が台座面から滑落しない。
また、本考案の握持柄用キャップを傘や杖の握持柄に取り付けることにより、食堂などの傘置きに自分の傘を入れても、握持柄用キャップが目印となり、他人の傘と容易に識別することができ傘の取り違いを防止することもできる。
【図面の簡単な説明】
【００１４】
【図１】本考案に係る傘や杖の握持柄用キャップの一実施形態を示す正面図である。
【図２】図１の平面図である。
【図３】図２のＩＩＩ−ＩＩＩ線に沿う断面図である。
【図４】図２のＩＶ−ＩＶ線に沿う断面図である。
【図５】図１のＶ−Ｖ線に沿う断面図である。
【図６】図１の底面図である。
【図７】本考案に係る傘や杖の握持柄用キャップの一実施形態を示す斜視図である。
【図８】本考案に係る傘や杖の握持柄用キャップの使用状態説明図である。
【図９】本考案に係る傘や杖の握持柄用キャップの他の使用状態説明図である。
【図１０】従来例の要部を拡大して示す正面図である。
【図１１】従来例の想定される使用状態を示す説明図である。
【図１２】従来例の実際の使用状態を示す説明図である。
【考案を実施するための形態】
【実施例】
【００１５】
以下、本考案に係る傘や杖の握持柄用キャップの好ましい実施形態を図面に基づいて説明する。図１は本考案に係る傘や杖の握持柄用キャップの一実施形態を示す正面図、図２は図１の平面図、図３は図２のＩＩＩ−ＩＩＩ線に沿う断面図、図４は図２のＩＶ−ＩＶ線に沿う断面図、図５は図１のＶ−Ｖ線に沿う断面図、図６は図１の底面図、図７は本考案に係る傘や杖の握持柄用キャップの一実施形態を示す斜視図、図８は本考案に係る傘や杖の握持柄用キャップの使用状態説明図である。
【００１６】
図１〜図８において、傘や杖の握持柄用キャップ１は、シリコン樹脂、シリコンゴム、熱可塑性エラストマ−などの弾性材料の成形体からなり、中実の小径ネック部２と、該小径ネック部２の上側に連設される円形有底の筒状部３と、小径ネック部２の下側に連設される逆椀形の吸盤４とを備える。
【００１７】
筒状部３には、図８に示すように、傘５の逆Ｕ字状に屈曲した握持柄６の先端部６ａが嵌挿される。そのため、筒状部３の内径ｄ（図５参照）は、握持柄６先端部６ａの嵌挿時に、その周壁３０が少し弾性拡径し、この弾性拡径の反力である弾性縮径力で先端部６ａを弾性抱持し得る値に設定されている。詳しくは、筒状部３の周壁３０内面に、該筒状部３の軸方向にのびる複数のリブ３１を円周方向に所定の間隔を隔てて径内方向に一様な突出量で突設し、各リブ３１の径方向内端を前記内径ｄの円周軌跡Ｒ（図５参照）上に位置決めしてある。
【００１８】
図３、図４において、逆椀形の吸盤４は、その周壁部４０と天井４１との境界部４２およびその近傍４３を薄肉Δｔに形成するとともに、周壁部４０の下端面４４は径外端から径内端にかけてθ＝１５゜〜２５゜、望ましくはθ＝２０゜の傾斜角で上がり勾配に傾斜する傾斜面によって形成されている。
【００１９】
前記構成の傘や杖の握持柄用キャップ１は、降雨時に傘５の使用者により携行される。たとえば、銀行に到着し、そのカウンターまたはテーブルもしくはＡＴＭ等の現金自動預払機あるいは最寄りの駅に到着して切符自販機台座面７（図８参照）に傘５を吊り下げ保持する場合、まず、携行している傘や杖の握持柄用キャップ１を取出し、その筒状部３を、傘５の逆Ｕ字状に屈曲した握持柄６の先端部６ａに嵌挿する。この場合、筒状部３は僅かに弾性拡径し、この弾性拡径の反力である弾性縮径力で握持柄６の先端部６ａを弾性抱持した状態で取付けられる。この取付状態で握持柄６を握持して吸盤４を台座面７に押圧すると、小径ネック部２の下動により吸盤４は下向きに圧潰弾性変形して空間部４ａの空気を排出し、空間部４ａを負圧化する。その直後に前記押圧を解けば、吸盤４は自己の弾性復帰と空間部４ａの負圧化との協働で台座面７に吸着され、握持柄６と台座面７との相対滑り移動を防止して、傘５が吊り下げ保持される。
【００２０】
図８において、傘や杖の握持柄用キャップ１が握持柄６の先端部６ａに嵌挿された状態では、傘や杖の握持柄用キャップ１の中心軸線Ｃ１は、傘５の軸線Ｃから径外方向に大きく離間(Ｌ１)していることと、傘５の重心の位置との関係により、傘５が台座面７に吊り下げ保持されると、前記中心軸線Ｃ１に相当する握持柄６における先端部６ａ側の軸線を含む傘５の軸線Ｃは傾斜するものの、その傾斜に伴って、筒状部３と小径ネック部２とが同時に吸盤４における周壁部４０と天井４１との境界部４２およびその近傍４３を基点に弾性折曲して、吸盤４の周壁４０に偏荷重が負荷されることによって生じる周壁４０下端面４４の台座面７からの離間を抑制するように働く。これにより、吸盤４の吸着力が保持されて、滑り移動不能に傘５を吊り下げ保持することができる。したがって、肘などが握持柄６に軽く当接しても傘５が台座面７から滑落しない。
【００２１】
筒状部３の周壁３０内面には、筒状部３の軸方向にのびる複数のリブ３１が円周方向に所定の間隔を隔てて径内方向に一様な突出量で突設されているので、筒状部３に傘５の逆Ｕ字状に屈曲した握持柄６の先端部６ａを嵌挿する場合、該先端部６ａの外周は複数のリブ３１に摺接することになって摩擦力が軽減される。しかも、筒状部３に握持柄６の先端部６ａが嵌挿されることによる筒状部３内の空気は、複数のリブ３１同士の間の隙間を通って排出される。これにより、筒状部３に握持柄６の先端部６ａを嵌挿する作業が容易になる。また、筒状部３に握持柄６の先端部６ａが嵌挿された状態は、握持柄６の先端部６ａが筒状部３に嵌挿されることで生じる筒状部３の僅かな弾性拡径の反力である弾性縮径によって保持することができる。
【００２２】
吸盤４の周壁部４０と天井４１との境界部４２およびその近傍４３を薄肉Δｔに形成しているので、握持柄６における先端部６ａ側の軸線Ｃ１を含む傘５の軸線Ｃの傾斜に伴う筒状部３と小径ネック部２との同時弾性折曲が容易になされるとともに、薄肉Δｔに形成された周壁部４０と天井４１との境界部４２およびその近傍４３を基点に、図９に示すように、吸盤４の周壁部４０を上向き椀形に反転させて天井４１を下向きに露出させることが容易になる。したがって、下向きに露出した天井４１を台座面７に載置すれば、天井４１と台座面７との間に生じる摩擦力で、握持柄６と台座面７との相対滑り移動を防止して、傘５を吊り下げ保持することができる。
【００２３】
前記実施形態では、傘や杖の握持柄用キャップ１を傘５の握持柄６の先端部６ａに取付けて、台座面７に吊り下げ保持する例について説明しているが、本考案に係る傘や杖の握持柄用キャップ１は、傘５の握持柄６のみならず、図示していない杖の握持柄の先端部に取付けて、台座面７に吊り下げ保持することも可能であり、杖に適用しても、前記実施形態で説明した傘５と同様の作用・効果を奏することができる。
【００２４】
なお、傘５の使用時には、傘や杖の握持柄用キャップ１を握持柄６の先端部６ａから取り外して携行しても、図９に示すように、吸盤４の周壁部４０を上向き椀形に反転させて握持柄６の先端部６ａに取付けた状態のままで傘５を使用してもよい。
【産業上の利用可能性】
【００２５】
銀行や店のカウンターまたはテーブルもしくはＡＴＭ等の現金自動預払機あるいは駅の切符自販機などの台座面に吊り下げ保持するのに有用である。
【符号の説明】
【００２６】
１  台座面への傘や杖の保持具
２  小径ネック部
３  筒状部
３０  筒状部の周壁
３１  複数のリブ
４  吸盤
４０  吸盤の周壁
４１  吸盤の天井
４２  吸盤の周壁部と天井との境界部
４３  境界部の近傍
４４  吸盤の下端面
５  傘
６  握持柄
６ａ  握持柄の先端部
７  台座面
Δｔ  薄肉
【図１】
0003175520.tif 000003
【図２】
0003175520.tif 000004
【図３】
0003175520.tif 000005
【図４】
0003175520.tif 000006
【図５】
0003175520.tif 000007
【図６】
0003175520.tif 000008
【図７】
0003175520.tif 000009
【図８】
0003175520.tif 000010
【図９】
0003175520.tif 000011
【図１０】
0003175520.tif 000012
【図１１】
0003175520.tif 000013
【図１２】
0003175520.tif 000014